Podtech/llm-jp-corpus-v4-ja_patent huggingface dataset:
(57)【要約】      （修正有）【課題】ＩＣ方式の出席管理システムにおいて、受講生がＩＣ方式の学生証および受講生証の読み取り確認の不安を解消する。【解決手段】出席管理リーダでＩＣ方式の学生証および受講生証を読み取り、サーバー介して読み取り確認情報を受講生および保護者の希望する携帯電話メールやパソコンのメールアドレスにメールが自動的に送られる仕組みである。【選択図】図１
0003141226.tif 000002
【実用新案登録請求の範囲】
【請求項１】
学生、生徒および受講生がＩＣ方式の学生証（携帯付学生証を含む）および受講生証に読み取りリーダに読み取りが完了および成功しているのかを希望するメールアドレスへ通知する。
【考案の詳細な説明】
【技術分野】
【００１】  本考案は、ＩＣ学生証および受講生証、生徒手帳における出席確認に関するものである。
【背景技術】
【００２】  ＩＣ証明書が普及してきている現在では、学生証、生徒手帳、および受講生証を出席管理等に利用しているが、読み取りリーダでの確認は出来るが授業開始前には混雑が予想され、読み取りリーダで確認するには時間が有する。
【考案の開示】
【考案が解決しようとする課題】
【００３】  ＩＣ方式の出席管理システムでは、受講生がＩＣ方式の学生証、生徒手帳および受講生証に読み取りリーダに読み取りが完了および成功しているのかの不安解消をする。
【考案を解決するための手段】
【００４】  本考案は、学生が持っているＩＣ方式の学生証および受講生証を出席管理リーダで読み取り、サーバー介して読み取り確認を受講生および保護者の希望携帯電話メールアドレスに出席管理サーバーよりパソコンのメールアドレスにメールが自動的に送られる仕組みである。
【考案の効果】
【００５】  学校の側として授業の出席確認がスピーディーに出来る。授業を休みがちな学生に対しての対応が早くでき、学生支援サービスに繋がる。不足の災害や事故等で受講生が学校に登校しているかがわかる。
【考案を実施するための最良の形態】
【００６】  学生・生徒および受講生にはＩＣ学生証および受講生証にすることによってＩＣ学生証および受講生証を、固定・可搬方式出席管理リーダで読み込み出席データを管理サーバに送り学生および受講生の希望するメールアドレスに確認データを送る。
【実施例】
【００７】  以下、添付図面に従って一実施例を説明する。学生および受講生は授業開始前に、１の固定・可搬方式出席管理リーダにＩＣ学生証および受講生証のデータを読み込ませる。そのデータ情報は、構内のＬＡＮ、無線ＬＡＮおよび可搬式リーダによって、３のサーバへ情報が送られる。その出席情報を、学生および受講生の４もしくは５の希望するメールアドレスへ確認情報データを自動的に送信する。
【図面の簡単な説明】
【００８】
【図１】本考案の実例を示す図である。
【符号の説明】
【００９】１  カードリーダ（固定式・可搬式）
２  構内ＬＡＮおよび無線ＬＡＮ
３  講義情報、出席情報等自動更新、およびデータ移管サーバ
４  希望するパソコン等のメールアドレス
５  希望する携帯電話のメールアドレス
６  出席確認データ
【図１】
0003141226.tif 000003
【手続補正書】
【提出日】平成19年9月19日(2007.9.19)
【手続補正１】
【補正対象書類名】実用新案登録請求の範囲
【補正対象項目名】全文
【補正方法】変更
【補正の内容】
【実用新案登録請求の範囲】
【請求項１】
学生、生徒および受講生がＩＣ方式の学生証（を含む）および受講生証に読み取りリーダに読み取りが完了および成功しているのかを希望するメールアドレスへ通知する。
学生、生徒および受講生のＩＣ方式の学生証、携帯電話付ＩＣ学生証、ＩＣ方式の受講生証、および携帯電話付ＩＣ受講生証を読み取りリーダで読み取ることで出欠データ情報が無線ＬＡＮおよび構内ＬＡＮを通じてサーバー送られ蓄積される。生徒および受講生が予め登録した電子メールアドレスに、サーバーに送られた出欠データ読み取り完了または成功の通知をする出席確認システム。
【手続補正書】
【提出日】平成20年1月17日(2008.1.17)
【手続補正１】
【補正対象書類名】実用新案登録請求の範囲
【補正対象項目名】全文
【補正方法】変更
【補正の内容】
【実用新案登録請求の範囲】
【請求項１】
「学生、生徒および受講生の証明書をＩＣカード方式または、携帯電話付ＩＣ方式にすることにより、
（１）ＩＣ方式の読み取りリーダで読み取ることで出欠データ情報が無線ＬＡＮおよび構内ＬＡＮを通じてサーバー送られ蓄積される
（２）学生、生徒および受講生が予め登録した電子メールアドレスに、サーバーに蓄積された本人の出欠データ読み取り完了または成功の通知を行う
以上からなる出席確認システム。」
(57)【要約】【課題】  病院内に於いて、酸素マスク装着時のゴム紐の摩擦で起こる、皮膚への傷の軽減。【解決手段】  酸素マスクのゴム紐をバイアステ−プに変更し、その先端にビニ−ル加工を施した物。【選択図】図２
0003141225.tif 000002
【実用新案登録請求の範囲】
【請求項１】
従来の酸素マスクに市販のバイアステ−プを用いて、顔面に装着出来る様にしたもの。
【請求項２】
マスクの横穴へ簡単に通せる様、バイアステ−プの先端をビニ−ル加工し細くした。
【考案の詳細な説明】
【技術分野】  入院中の患者に装着する、酸素マスクに関するものである。
【考案の開示】
【考案が解決しようとする課題】  酸素マスクを従来のゴム紐で装着すると、接触する耳の一部が摩擦傷となり、長期間の使用が出来ないと言う問題点があった。
【課題を解決するための手段】  従来のゴム紐をバイアステ−プに変更する事で、皮膚への摩擦を減らし、傷が出来ない様にした。
【考案の効果】  バイアステ−プの使用により、患者への負担が軽減され、長期使用も出来る様になる。
【実施例】  バイアステ−プ先端のビニ−ル加工により、酸素マスクへの装着も簡単。顔面へ適度に固定され、治療の際の着脱もスム−ズである。
【図面の簡単な説明】
【図１】  側面図
【図２】  使用時の側面図
【符号の説明】
１  酸素マスク
２  バイアステ−プ（長さ８５ｃｍ幅４ｍｍ）
３  通し穴
４  ビニ−ル加工（セルチップ加工）
５  結び目
【図１】
0003141225.tif 000003
【図２】
0003141225.tif 000004
【手続補正書】
【提出日】平成19年8月28日(2007.8.28)
【手続補正１】
【補正対象書類名】実用新案登録請求の範囲
【補正対象項目名】全文
【補正方法】変更
【補正の内容】
【実用新案登録請求の範囲】
【請求項１】
酸素マスクの外側中央部に、長さを等分したバイアステ−プを宛てがい、マスク左右中央の通し穴へバイアステ−プ先端を通す。耳の上部から下部へバイアステ−プを引っ掛け、穴に通してあるバイアステ−プ部分に結び固定し、顔面に装着出来る様に設けられたヒモ付き酸素マスク。
【請求項２】
バイアステ−プの先端を、酸素マスクの横穴へ簡単に通せる様、ビニ−ル加工で細く施したヒモ付き酸素マスク。
【手続補正書】
【提出日】平成19年11月10日(2007.11.10)
【手続補正１】
【補正対象書類名】実用新案登録請求の範囲
【補正対象項目名】全文
【補正方法】変更
【補正の内容】
【実用新案登録請求の範囲】
【請求項１】
酸素マスクの外側中央部に、長さを等分したバイアステ−プを宛てがい、マスク左右中央の通し穴へバイアステ−プ先端を通し、耳の上部から下部へバイアステ−プを引っ掛け、穴に通してあるバイアステ−プ部分に結び固定し、顔面に装着出来る様に設けられたヒモ付き酸素マスク。
【請求項２】
バイアステ−プの先端を、酸素マスクの横穴へ簡単に通せる様、ビニ−ル加工で細く施したヒモ付き酸素マスク。
【手続補正書】
【提出日】平成20年1月25日(2008.1.25)
【手続補正１】
【補正対象書類名】実用新案登録請求の範囲
【補正対象項目名】全文
【補正方法】変更
【補正の内容】
【実用新案登録請求の範囲】
【請求項１】
酸素マスクの外側中央部に、長さを等分したバイアステ−プを宛てがい、マスク左右中央の通し穴へバイアステ−プ先端を通し、耳の上部から下部へバイアステ−プを引っ掛け、穴に通してあるバイアステ−プ部分に結び固定し、顔面に装着出来る様に設けられたヒモ付き酸素マスク。
【請求項２】
酸素マスクの横穴へ簡単に通せる様、バイアステ−プの先端のビニ−ル加工を特徴とする請求項１記載のヒモ付き酸素マスク。
(57)【要約】【課題】身体障害者が買物をする際に傘や杖を持っていると容易に財布からお金を出せず、何処かに立て掛けようと思っても倒れてしまい、大変な不自由さがある。本考案のホルダーは、鉄道の券売機や百貨店の清算カウンター、銀行のＡＴＭ機などに傘や杖をワンタッチで保持できるホルダーを設置し、障害者の支払い時の不自由さの軽減を図る。【解決手段】傘置き場がある場所には清算カウンター前などに拡張可能な湾曲した部位と爪部のあるホルダーＳ（シングル）形を設置。狭い場所でも回転することなく安定して設置できるよう、背面に両面テープとビス止めで固定できるようになっている。安全面から弾力性のあるポリプロピレン、ＡＢＳ樹脂を用いる。傘と杖と両方持ち合わす場所には、上述の湾曲部と爪部を相対する方向に２セット備え、傘と杖の２本を同時に保持出来るホルダーＷ（ダブル）形を設置。【選択図】図２
0003141230.tif 000002
【実用新案登録請求の範囲】
【請求項１】
柔軟性且つ弾力性のある材質で、拡張可能な湾曲した部位と先端に引っ掛ける（爪部）を備え、傘や杖などをワンタッチで保持可能であると共に本体の背面を両面テープ又はビスで固定する事により、狭い面に回転せずに固定することが出来ることを特徴とする傘杖兼用のホルダー。
【請求項２】
請求項１に記載のホルダー１に於いて湾曲する部位と爪部を相対する方向に２セット備え傘杖を２本同時に保持することが出来るホルダー。
【考案の詳細な説明】
【技術の分野】
【０００１】本考案は拡張可能な材質で湾曲部分と爪部により、ワンタッチで傘や杖を保持できるホルダーに関するものである。
【背景技術】
【０００２】障害者が買い物その他で支払いをする際に、杖などを持っている場合不安定な場所に立て掛けていた。【０００３】また雨が降って雨傘と杖の２本を持った場合、例えば鉄道の駅の券売機などでの支払いの際も同様である。
【考案の開示】
【考案が解決しようとする課題】
【０００４】傘や杖を持ちながらの支払い等は不安定な場所に立て掛けた杖が倒れてしまったりして、それを拾い上げたりと大変難儀である。清算カウンター前や券売機前に杖のみ（室内で杖置き場のある場合）や傘と杖を両方２本同時にワンタッチで保持出来るホルダーを設けることにより障害者の不自由を解決しようとするものである。
【課題を解決するための手段】
【０００５】本考案は柔軟性且つ弾力性のある材質で、拡張可能な湾曲した部位と先端に引っ掛ける（爪部）を備え、傘杖兼用のホルダーを清算カウンター前や券売機前に杖のみ（室内で傘置き場のある場合）や傘や杖を２本同時にワンタッチで保持出来るホルダーを設置する事により問題を解決している。
【考案の効果】
【０００６】柔軟性且つ弾力性のある材質で拡張可能な湾曲部と爪部の形状により杖のような細いものをより転倒防止することが出来且つ着脱もワンタッチで容易になる。【０００７】両面テープと更にビス止めにより、狭い設置場所にもホルダーが脱落又は回転することなく安定して設置することが出来る。【０００８】傘や杖を２本掛け出来るＷ（ダブル）形により雨の日の身障者の不自由さを軽減することができる。
【考案を実施するための最良の形態】
【０００９】傘置き場がある場所には清算カウンター前などに拡張可能な湾曲した部位と爪部のあるホルダーＳ（シングル）形を設置。狭い場所でも回転することなく安定して設置できるよう、背面に両面テープとビス止めで固定できるようになっている。安全面から弾力性のあるポリプロピレン、ＡＢＳ樹脂を用いる。【００１０】傘と杖と両方持ち合わす場所には、上述の湾曲部と爪部を相対する方向に２セット備え、傘と杖の２本を同時に保持出来るホルダーＷ（ダブル）形を設置。
【図面の簡単な説明】
【００１１】
【図１】１  Ｓ（シングル）形の上面図＝Ｓ形本体を真上より見た展開図。２  Ｓ（シングル）形の正面図＝Ｓ形本体を真正面より見た展開図。
【図２】３  Ｗ（ダブル）形の上面図＝Ｗ形本体を真上から見た展開図。４  Ｗ（ダブル）形の正面図＝Ｗ形本体を真正面より見た展開図。
【符合の説明】
【００１２】１  符合は本体Ｓ（シングル）形及びＷ（ダブル）形と共通とする
２  本体の材質を柔軟性があり弾力性を持つポリプロピレン合成樹脂とする。
３  傘又は杖をしっかり支持する為の爪を示す。
４  本体を固定する為のビス穴を示す。
５  本体を必要に応じて強固に固定する為の４のビス穴を利用したビスを示す。
６  支持しようとする傘又は杖或いはその両方を差し込む方向を示す。
７  支持する物体を押し込む際に矢印の方向に開かれてまた復元して支持物をしっかり支持する。
８  ４のビス穴を利用して皿ビスを用いて固定した場合、ビスの頭がフラットになるべく説明したものです。
【図１】
0003141230.tif 000003
【図２】
0003141230.tif 000004
(57)【要約】      （修正有）【課題】バケットと台車が１体とした分離不可能な構造又はバケットと台車が各々独立したもので、その都度乗せ替えを必要とした構造を一体形ながら分離可能とし、無理なく安全でワンタッチで操作できるスクラップ台車を提供する。【解決手段】支点ピン４を回転中心としてロックバーを開放するレバーを押し込むことにより、フックがはずれ、取手１１を持ち上げることにより運搬物を取り出せる。【選択図】図３
0003141223.tif 000002
【実用新案登録請求の範囲】
【請求項１】
運搬物により金属加工品、廃材、土砂、穀物、及び液体等の重さに関係なく安全装置としての設定のフック式のワンタッチ解錠により運搬物の排出が簡単に操作を可能とした特徴を有するスクラップ台車。
【考案の詳細な説明】
【考案の詳細な説明】
【技術分野】
【０００１】  本来は金属加工品、土砂、石材、穀物や液体等の運搬排出においてワンタッチにより、瞬時に取り出せるスクラップ台車。
【背景技術】
【０００２】  従来の運搬排出では主にバケットと台車が別個々にしたものが一般的であって、そのの都度労力を必要とした乗せ替え排出が行われていることが現状である。
【考案の開示】
【考案が解決しようとする課題】
【０００３】  従来の運搬排出のあり方では安全性と労力が必要以上負担となり、その上疲労に伴う危険性も高くなるという問題点がある。【０００４】  従来では運搬排出の際、瞬間的に行われることが多いため、そのタイミングが問題となり、特に高齢者では、そのリスクが非常に高くなる欠点を解決するものである。
【考案が解決しようとする手段】
【０００５】  本考案はバケットと台車を取り外し可能な一体形構造としてレバー操作により支点ピンを中心に回転排出するも、取手により徐々に排出も可能として、従来の問題点を解決している。且つ必要によりフォークリフトにて運搬可能にしたフォーク差込口を設けて運搬の多様性を求めている。
【０００６】  本考案は回転とバランスの円滑化をはかるため、バケットの重心位置下部に回転中心を設け、バランスのとれた排出が出来るように、問題を解決している。
【考案の効果】
【０００７】  上述のように重心位置を考慮して回転状態を安全に操作出来るように、且つ労力を必要以上に力を用いることなく取出作業が行われて、バケット操作の着脱が簡単に行われることになる。
【考案を実施するための最良の形態】
【０００８】  ロックバーとレバー操作により特に高齢者でも無駄な労力に必要以上に力を用いることなく取り出し作業がおこなわれてバケット操作の着脱が簡単に行われることにある。
【実施例】
【０００９】  以下添付図面に従って一実施例を説明する。１は鋼製で軽量化の溶接構造のバケット、２はバケット受スタンド、４はバケット１の回転中心の支点ピン、５はバケット１を固定するロックバーと６はロックバー５の開放用レバーで構成され、前部バケット受３で支えられ、台車８に固定されてある。排出時ブレーキはブレーキ付自在車のブレーキを作動させてレバー６を手又はあしで押込む。ロックバー５をフック７により解錠して、取手１１とサイドバンドル１２により排出作業をして完了。然る後、定位置に戻してレバー６を手元に戻して作業完了。なお排出時及びメンテナンス時は必ずレバーストッパー１３をロックバー６にはめ込みして安全性を保つ事に留意する。
【産業上の利用可能性】
【００１０】  本考案は今後物体、液体のあらゆる分野の搬送作業に、運搬車の利便性を生かした有効な利用価値を生み安全したスクラップ台車を使用さに範囲が広くなり得る。
【図面の簡単な説明】
【００１１】
【図１】  平前図
【図２】  正面図
【図３】  側面図
【図４】  排出状態図
【図５】  レバー部作動図
【符号の説明】
【００１４】  １．バケット
２．バケット受スタンド
３．前部バケット受
４．支点ピン
５．ロックバー
６．レバー
７．フック
８．台車
９．固定車
１０．ブレーキ付自在車
１１．取手
１２．サイドハンドル
１３．レバーストッパー
【図１】
0003141223.tif 000003
【図２】
0003141223.tif 000004
【図３】
0003141223.tif 000005
【図４】
0003141223.tif 000006
【図５】
0003141223.tif 000007
【手続補正書】
【提出日】平成19年9月21日(2007.9.21)
【手続補正１】
【補正対象書類名】実用新案登録請求の範囲
【補正対象項目名】全文
【補正方法】変更
【補正の内容】
【実用新案登録請求の範囲】
【請求項１】
図２及び図３の如くロックカバー５が図４に示されるフック７にロックの状態からの内容物の取出しは不可能である。内容物の取り出しに於いてはレバー６を押しフック７よりはずして図５のレバーストッパー１３をレバー６を旋錠する。こうして取手１１にて徐々に傾斜させる。完了後は傾斜より水平に戻してレバーストッパー１３をはずしてレバー６を引いてフック７にロックする。このようにレバーストッパー１３の取り付けによりレバー６及びロックバー５が固定されず自由な状態であれば水平に戻った際、フック７との間に反動がどのようになるか予測できないことが生じる恐れがある。このように確実性を重視してレバーストッパー１３及びレバー６を取り付けに構造を特徴とするスクラップ台車。
【手続補正書】
【提出日】平成20年1月18日(2008.1.18)
【手続補正１】
【補正対象書類名】実用新案登録請求の範囲
【補正対象項目名】全文
【補正方法】変更
【補正の内容】
【実用新案登録請求の範囲】
【請求項１】
バケットは可搬式で台車上のバケット受スタンドと支点ピンを介して一体化されて且つ安定を重視して移動中のバケットの反転防止を目的としてロックバー、フック及びレバーストッパーの各部品を装置として組み合わされていて、このロックバーはバケットが前部バケット受けの上にて安定した状態にある時ロックバーを手前に作動させてフックに挿入施錠して移動中の反転事故を防止、運搬物のを取り出す際は、このロックバーフックより外して台車の外にあるレバーストッパーにてロックバーをロックしバケットを操作することにあり、このようにこのように運搬物の取り出しの安全、確実性を重視してのロックバー、レバーストッパーの組合せを有し簡単操作を特徴とするスクラップ台車。
(57)【要約】      （修正有）【課題】原子炉に、フッ化ウラニルＵＯ２Ｆ２、フッ化カリＫＦ溶液を満し、２枚の電極を対向させ、電極と垂直な面より交番磁界を加えた原子力直接発電装置に関する。【解決手段】原子炉１に、フッ化ウラニルＵＯ２Ｆ２、フッ化カリＫＦ溶液を満し、２枚の電極２と電極３を対向させ、電極と垂直な面５より矢印６の方向に交番磁界を加える。【選択図】図１
0003141244.tif 000002
【実用新案登録請求の範囲】
【請求項１】
（イ）  原子炉（１）にフッ化ウラニル（ＵＯ２Ｆ２）、フッ化カリ（ＫＦ）溶液を満す。
（ロ）  原子炉（１）に２枚の電極（２）と電極（３）を対向させ、負荷抵抗（４）を接続する。
（ハ）  電極と垂直な面（５）より、矢印（６）の方向に交番磁界を加える。
【考案の詳細な説明】
【考案の詳細な説明】
【技術分野】
【０００１】この考案は、原子炉内に、フッ化ウラニル（ＵＯ２Ｆ２）、フッ化カリ（ＫＦ）溶液を満し、２枚の電極を対向させ、電極と垂直に交番磁界を加えた原子力直接発電装置に関するものである。
【背景技術】
【０００２】核分裂反応エネルギー→熱エネルギー→電気エネルギー
と中間に熱エネルギーが介在するため、エネルギー変換率は４０％である。
【考案が解決しようとする課題】
【０００３】本安は、その欠点を除いて
核分裂エネルギー→電気エネルギー
と中間の熱エネルギーを除き直接電気エネルギーに変換するため、エネルギー変換効率は２倍となる。
【課題を解決するための手段】
【０００４】いまその解決手段を図面を追いながら説明すれば
（イ）  原子炉（１）にフッ化ウラニル（ＵＯ２Ｆ２）、フッ化カリ（ＫＦ）溶液を満す。
（ロ）  原子炉（１）に２枚の電極（２）と電極（３）を対向させ、負荷抵抗（４）を接続する。
（ハ）  電極と垂直な面（５）より、矢印（６）の方向に交番磁界を加える。
以上の構成からなる原子力直接発電装置である。
【考案を実施するための最良の形態】
【０００５】原子炉（１）内で、核分裂エネルギーは交番磁界により、直接電気エネルギーに変換される。
核分裂エネルギー→電気エネルギー
中間に熱エネルギーが介在しない。こうして原子炉の核分裂エネルギーは直接交流電流となり、両電極により負荷抵抗（４）に供給される。
【考案の効果】
【０００６】したがって、原子炉より危険な冷却装置や熱交換器、タービン等を用いず、従来の原子炉より２倍の熱効率で直接交流電流が得られる原子力発電装置である。
【図面の簡単な説明】
【図１】考案の斜視図
【符号の説明】
１は原子炉の斜視図
２は電極
３は電極
４は負荷抵抗
５は電極と垂直な面
６は矢印
【図１】
0003141244.tif 000003
【手続補正書】
【提出日】平成20年1月28日(2008.1.28)
【手続補正１】
【補正対象書類名】実用新案登録請求の範囲
【補正対象項目名】全文
【補正方法】変更
【補正の内容】
【実用新案登録請求の範囲】
【請求項１】
（イ）原子炉（１）にフッ化ウラニル（ＵＯ２Ｆ２）、フッ化カリ（ＫＦ）溶液を満し、（ロ）原子炉（１）に２枚の電極（２）と電極（３）を対向させ負荷抵抗（４）を接続し、（ハ）電極と垂直な面（５）より矢印（６）の方向に交番磁界を加え、核分裂エネルギーを直接電気エネルギーに変換することを特徴とする原子力直接発電装置。
(57)【要約】      （修正有）【課題】介護において、特に排便は介護者・被介護者の肉体的・精神的苦痛を伴うものである。力作業を要せず家庭でも利用できる簡便・安価な移動用介護用具を提供する。【解決手段】１．ベッド横から用具を差し込み、中空き座面１に臀部が乗る状態に被介護者の上体を起こす。２．９０度向きを変えることにより、被介護者は用具に腰掛けた状態になる。座面の回転盤を使用することにより、更に楽に向きを変えられる。３．介護者は、台車で運ぶ要領でトイレに移動させ、フォーク型下脚の部分４を便座に差し込む。中空き座面１は、便座に乗った状態となる。４．座面の厚さ分便座より高くなるが、便器においても使用上の不具合はない。５．用便後は逆の流れでベッドに戻す。６．抱き起こし作業をなくし、介護者及び被介護者の肉体的・精神的苦痛を和らげるものとし、風呂場・食卓等への移動にも利用できる。【選択図】図１
0003141249.tif 000002
【実用新案登録請求の範囲】
【請求項１】
排便可能な中空きの座面を有する座台を持ち、ベッドにも様式トイレにも差し込める高さと形状をした、被介護者を簡易移動する車輪付手押し台介護用具
【請求項２】
排便可能な中空きの回転可能な座面を有し、被介護者の向きを自由に変えられる座台を持ち、ベッドにも様式トイレにも差し込める高さと形状をした、被介護者を簡易移動する車輪付手押し台介護用具
【考案の詳細な説明】
【技術分野】
【０００１】本考案は、歩行困難な被介護者（以下被介護者という）が排便等室内移動するに際し、簡易にトイレ等への移動を可能にし、介護者及び被介護者の肉体的・精神的負担を軽減させるものである。
【背景技術】
【０００２】ベッドから車椅子に、車椅子からトイレ等への移動に際しては、抱き起こし移動等、介護者の力仕事に負っているため、病院介護・家庭介護においても、ベッド脇の簡易トイレ利用やベッド上での排便が主流の現状にある。
また、本来はトイレで排便したいとの被介護者の精神的ニーズにも応えていないのが現状である。
【考案の開示】
【考案が解決しようとする課題】
【０００３】被介護者にとって、日常煩瑣にある排便の介護を受けることは精神的にも苦痛であり、トイレで自然な形での排便を望んでいる。
ベッドからの移動は、抱え上げて移すという力仕事で、特に老々介護の多い家庭内介護における介護者の負担は大きい。
ベッド脇に簡易トイレを置いての利用は多いが、抱え上げ作業は必要であり、臭気の問題も大きい。
寝たままでの排便は、精神的苦痛・臭気問題に加え被介護者を寝たきり状態に助長させがちである。
本考案は、ベッドからトイレ・風呂場・洗面所・食卓等に簡単に移動できる介護用具を創ることにより、介護者・被介護者の肉体的・精神的負担を軽減することにある。
【考案を解決するための手段】
【０００４】被介護者をベッドに腰掛けた状態のまま様式トイレに移動させることにより課題を解決したい。
そのためには、排便可能な中空き座面付座台と、ベッドにも様式トイレにも差し込める形状を持った手押しできる車輪付移動台との組み合わせにより、抱き起こし作業なしで移動できる介護用具が必要である（請求項１）。
また、ベッドに上半身を起こした状態から本考案に腰掛けた状態にするには９０度向きを変える必要がある。これを楽に行う手段として回転可能な座面を組み合わせたものが請求項２である。
具体的使用法は、本考案を介護者にてベッド横から差し込み、座面に臀部が乗るように被介護者の上半身を起こす。９０度向きを変えると本考案に腰掛けた状態になる。そのままトイレまで手押し移動する。コの字型座台とフォーク型下脚形状であるので、そのまま様式トイレに差し込むことが出来る。用便後は逆の手順でベッドに戻す。
【考案の効果】
【０００５】この一連の作業による介護者の労力は抱え上げ作業に比し極めて軽微である上、排便後の始末も不要である。
被介護者にとってもウオシュレット利用により排便始末を他人の手を借りずにできること、介護者の労力が少ないため移動を気楽に依頼でき精神的負担が減る効果がある。
回転可能な座面を組み合わせた場合、洗面や食卓やシャワー等、場面に合わせ、向きを自由に変え利用できるため室内での行動範囲が広がり、リハビリ効果も望める。
また、廉価で提供可能であり家庭内介護においても充分活用しうる。
【考案を解決するための最良の形態】
【０００６】座台はベッドに差し込めるよう横から見てコの字型、また便器にも差し込めるよう座台の下脚は２本フォーク型とする。
座台の高さは便器の高さに整合させる。ベッドも同高さに調整する。
ベッドから上半身を起こし向きを９０度変えるのは請求項１でも可能ではあるが、楽に向きを変え汎用性を持たせるには請求項２の座面を回転させることにより解決する。回転盤は、下面は座台に固定しコロを使うことにより上面だけ回転させる。
【実施例】
【０００７】排便に関しては、力作業不要に加え、ウオシュレットであれば介護者の手を煩わせず後処理できる。また臭気の問題も解決できる。
人目を気にせずトイレ内で排便したいとのニーズにも応えられる。
【実施例】
【０００８】風呂は、素人介護では極めて困難であるが、本考案を錆びない素材で造ることにより腰掛けたままの姿勢で簡単にシャワーを利用することが出来る。
【実施例】
【０００９】抱き起こし等介護者の力作業が不要なので、室内での移動を気楽に頼めるので、食卓や洗面所等への簡易移動が可能になり行動範囲が広がる。
【図面の簡単な説明】
【００１０】
【図１】全体図
【図２】使用例図
【図１】
0003141249.tif 000003
【図２】
0003141249.tif 000004
【手続補正書】
【提出日】平成20年1月17日(2008.1.17)
【手続補正１】
【補正対象書類名】実用新案登録請求の範囲
【補正対象項目名】全文
【補正方法】変更
【補正の内容】
【実用新案登録請求の範囲】
【請求項１】
穴付き座台を有する上フレームと、座台より低いものの差込みを可能とした車輪付き下フレームを、座台より低いものの差込みを可能に配置した柱により接続した移動可能な介護装置。
【請求項２】
回転可能な穴付き座台を有する請求項１の移動可能な介護装置。
(57)【要約】      （修正有）【課題】廃棄油を捨てるのではなく、容易に貯蓄できるボトルに入れて置く事により、リサイクルもしくは、再燃料利用が可能になり、地球環境に役立てるエコボトルの提供。【解決手段】ボトルを、個々に取り外し可能にして、再利用油と廃棄油入れの上部キャップは、二箇所に分け、注入口は、油を入れやすくする為に大きく、注ぎ口には、ネットをつけて再利用する場合、不純物が混ざらないようにする。【選択図】図１
0003141241.tif 000002
【実用新案登録請求の範囲】
【請求項１】
食用油等を容易に使えるよう上部の閉会口をスクリュウキャップ方式にして注入口と受け入れ口と二箇所設けて、使用後油を入れやすくし、ボトルを三分割して一本化し一本一本が容易に外れるようにして、未使用油、使用後、廃棄油を分けることを可能にすることにより、使用済みの食用油など、廃棄せずにリサイクル利用する為に、貯蓄するボトル。
【考案の詳細な説明】
【技術分野】
【０００１】本考案は、使用前と再使用と使用済の食用油を１本のボトルを三分割に分けて、貯蔵、保存する事に関するものである。
【背景技術】
【０００２】従来の食用油を入れているボトルでは、廃棄油は捨てていた。
【考案の開示】
【考案が解決しようとする課題】
【０００３】従来の食用油を入れているボトルは使用前の油のみであり、使い捨てボトルでした。使用後の再使用油と廃棄油を貯蓄、保存しておく、スペースがなく、廃棄油を固まらせて、そのままゴミとして、処分していました。それでは環境に、よくありません。廃棄油を捨てるのではなく、容易に貯蓄できるボトルに入れて置く事により、リサイクルもしくは、再燃料利用が可能になり、地球環境に役立てる目的であります。
【課題を解決する為の手段】
【０００４】本考案は、ボトルを三分割にして一体化し、使用前の油と使用後の再使用油と廃棄油を分けて、貯蓄、保存する事を可能にする。
ボトルのキャップをネジ式にして、使用前の油、再使用油、廃棄油が漏れないようにして、再使用油と廃棄油側の注ぎ口には、ネットをつけて（図４・５）不純物（天かす等）が再注入する場合、鍋に混ざらないようにします。
【考案の効果】
【０００５】従来の食用油ボトルでは、開封すると、ボトルが倒れたら、油が漏れる事が有り、野外で（キャンプ等）使用するのには、持ち運びに苦労し、また、廃棄油の処理ができなく、捨てていました。又、家庭で油料理を作った後の廃棄油は固まらせてゴミとして捨てるか、そのまま、流し台に流していました。今、地球温暖化が世界的に問題になっているなか、廃棄油の処理の仕方を間違った方法ですれば、環境破壊にもつながりかねません。本考案のボトルは廃棄油を、手間無く、処理、回収ができ、又、再使用油と廃棄油を一体化したボトルに貯蓄、保存ができるので、新たに再使用油と廃棄油を貯蓄、保存するスペースを作らなくてもよいメリットがあります。
これを食用油の製造業社がビタナブルボトル方式を採用して、消費者に廃棄油と共にボトルを回収できように廃棄油返還保証金制度を導入し、業務用又は一般家庭で出た廃棄油を回収して、例えば、ディゼルエンジンの燃料［ＳＶＤ（ストレート  デジタブル  オイル）ＣＯ２を排出しても軽油と違い光合成で地球に優しい。］として再使用するなど、リイクル商品として、再利用することにより、限りある資源、地球環境保全に貢献できる、効果が有るのでは無いかと考えます。
【考案の実施するための最良の形態】
【０００６】一本のボトルを三分割にして、個々に取り外し可能にする。再利用油と廃棄油入れの上部キャップは、二箇所に分け、注入口は、油を入れやすくする為に大きく、注ぎ口には、ネットをつけて（図４・５）不純物（天かす等）が再注入する場合、鍋に混ざらないようにする。
【図面の簡単な説明】
【０００７】
【図１】本考案に係るエコボトルの断面図です。
【図２】本考案に係るエコボトルの平面図です。
【図３】本考案に係るエコボトルの平面図です。
【符号の説明】
【０００８】  １      未使用油容器
２      廃棄油容器
３      再利用油容器
４      再利用油の不純物（天かす等）流失防止ネット
５      廃棄油の不純物（天かす等）流失防止ネット
６      再利用油の注ぎ口スクリューキャップ
７      再利用油の注入口スクリューキャップ
８      廃棄油の注ぎ口  スクリューキャップ
９      廃棄油の注入口  スクリューキャップ
１０      未使用油容器    スクリューキャップ
１１      廃棄油容器と再利用油容器を切り離す凹凸レーン
１２      未使用油容器と廃棄油容器を切り離す凹凸レーン
【図１】
0003141241.tif 000003
【図２】
0003141241.tif 000004
【図３】
0003141241.tif 000005
【手続補正書】
【提出日】平成20年1月28日(2008.1.28)
【手続補正１】
【補正対象書類名】実用新案登録請求の範囲
【補正対象項目名】全文
【補正方法】変更
【補正の内容】
【実用新案登録請求の範囲】
【請求項１】
食用油等を容易に使えるようボトルを三分割して、一本化し、一本一本、外れるようにし、上部の開閉口をスクリュウキャップ方式にして、注入口と受け入れ口を未使用油と再利用油のボトルには二箇所設け、油を入れやすくし、未使用油、再利用油、廃棄油を分けることを可能にすることにより、廃棄油を捨てずに、リサイクル利用するための貯蓄ボトル。
(57)【要約】      （修正有）【課題】使い捨ての傘袋は、装着が簡単だが脱落もしやすい。雨天時は靴底に付いていた水分や湿気で床が滑りやすくなっており、そこに脱落した袋があるとさらに転倒の危険性が高まる。そこで袋に溜まった水の重みや摩擦等によって脱落しにくい袋を提供する。【解決手段】ロール状傘袋の１枚１枚を区切るミシン目を、従来の直線から曲線（平仮名の「ひ」の形にすることで、装着後に口の部分を結ぶ「結びしろ」を持つ脱落しにくい袋が連続してできる。曲線の両端から底までの差は、１、２重結べる結びしろができる程度にする。【選択図】図１
0003141245.tif 000002
【実用新案登録請求の範囲】
【請求項１】
１枚１枚を区切るミシン目を、従来の直線から曲線（平仮名の「ひ」の形）にして口の部分に「結びしろ」を作り、軽ぐ結ぶことで装着後の脱落を防いだロール状の使い捨て傘袋
【請求項２】
直線のミシン目より切り離しにくくなるため、曲線の底部はミシン目でなく切れ目を入れる。
【考案の詳細な説明】
【技術分野】
【０００１】本発明は、口の部分を結ぶことができる形状に切り離すことにより、装着後の脱落を防ぐことができる使い捨て傘袋に関する
【背景技術】
【０００２】  従来の袋は数百枚をロール状にし、１枚ずつ切り離すために横一文字のミシン目が入っている。しかし傘をすっぽり覆うだけのもので、先端に溜まった水の重みや摩擦等で袋が抜け落ちることがある。
【考案の開示】
【考案が解決しようとする課題】
【０００３】  従来の傘袋は着脱しやすいが、使用中に脱落して本来の目的を果たせないことがある。【０００４】本発明は、このような袋の形状が有していた問題を解決し、脱落しにくくするものである。
【課題を解決するための手段】
【０００５】本発明は、上記目的を達成するために、装着後の袋を傘の柄の付近で結べるようにミシン目を曲線（平仮名の「ひ」の形）に入れるものである。直線のミシン目より切り離しにくくなるため、「ひ」の底部はミシン目でなく切れ目を入れる。
【考案の効果】
【０００６】これにより、袋に溜まった水の重みや摩擦等によって脱落しにくい袋になる。
【考案を実施するための最良の形態】
【０００７】
【実施例１】ロール状の使い捨て傘袋
【産業上の利用可能性】
【図面の簡単な説明】
【０００８】
【図１】ミシン目を切り離す前の袋（Ａ，Ｂ）を斜めから見た図である。
【図２】切り離した袋を正面から見た図である。
【図３】傘に装着した様子を正面から見た図である。
【符号の説明】
【０００９】  ａ  →  傘袋Ａ
ｂ  →  傘袋Ｂ
ｃ  →  ロール状の傘袋本体
ｄ  →  傘袋Ａ，Ｂを切り離すミシン目
ｅ  →  切り目
ｆ  →  傘
【図１】
0003141245.tif 000003
【図２】
0003141245.tif 000004
【図３】
0003141245.tif 000005
【手続補正書】
【提出日】平成20年1月20日(2008.1.20)
【手続補正１】
【補正対象書類名】実用新案登録請求の範囲
【補正対象項目名】全文
【補正方法】変更
【補正の内容】
【実用新案登録請求の範囲】
【請求項１】
１枚１枚を区切るミシン目を、従来の直線から曲線（平仮名の「ひ」の形）にして口の部分に「結びしろ」を作り、軽く結ぶことで装着後の脱落を防いだロール状の使い捨て傘袋。
【請求項２】
直線のミシン目より切り離しにくくなるため、曲線の底部はミシン目でなく切れ目を入れることを特徴とする、請求項１記載の傘袋。
(57)【要約】      （修正有）【課題】波の抵抗と魚信を間違え難く、ハリスの長い仕掛の時又波の荒い時に糸がらみが防止できる。【解決手段】スライドリング６の内径を調節してテンビン１とスライドリング６とをスライドさせてテンビン１が道糸２の部分まで抜けて行くようにした。その為１００ｍの遠投位置でも強烈な魚信が来るようにした。【選択図】図１
0003141246.tif 000002
【実用新案登録請求の範囲】
【請求項１】
釣具用テンビンにおいて該テンビンはハリスの長さより長い
0003141246.tif 000004
なるループ１巻き強以上形成し該テンビン端に付いたサルカンの大きさより大きい内径を有する重り用リングを介して重りを設けたことを特徴とする釣具。
【請求項２】
重り止め部分となるループはハリス側端より２０ｃｍ強の位置とし反対側道糸部側を８０ｃｍまで長くした長いハリスのからみ防止のためハリスの長さよりテンビンの長さを少し長くしたことを特徴とする請求項１記載の釣具。
【考案の詳細な説明】
【技術分野】
【０００１】本考案は釣具用テンビンの構造に関するものである。
【背景技術】
【０００２】従来のテンビンは重り負荷の抵抗と遠投の場合テンビンのスライド巾が小さい為波の抵抗と魚信を間違えやすいのが難点今１つの難点はハリスの長い仕掛の時又波の荒い時などに糸がらみが多発する難点。
【考案の開示】
【考案が解決しようとする課題】
【０００３】重りの負荷抵抗を少なくし又テンビンのスライド巾を大きくして波の抵抗と魚信の間違ひを最少限にする
今１つハリスの糸がらみを最小限にくい止める為にテンビンを可能な限り最大限まで長くした。
【課題を解決する為の手段】
【０００４】前述したやうに従来のテンビンの難点を解決する為図面１の６の内径を調節して１と６とをスライドさせた又スライド巾を無限に近くする為にテンビン本体全部が６をスライドして抜け２の部分まで抜けて行くやうにしたそのため１００ｍの遠投位置でも強烈な魚信が来るやうにした。
【０００５】従来のテンビンで長めのハリスの時前述のやうに糸がらみになやまされるので本考案では図面１の３と４の間の長さを極端に長くして８０ｃｍとして糸がらみを最小限にしました又テンビン自体が１ｍにもなってしまったため自重を少なくする為に直径１ｍｍのステンレス鋼を使って自重が重くならない様にして遠投に悪影響が出ない様にした。
【考案の効果】
【０００６】
0003141246.tif 000003
大平洋の高波の向う側への遠投に有効なテンビン又ハリスはテンビンと同じ長さのものが一番よろしい。
今１つ湾内デもテンビン・ハリス・重り等を同率に縮少した物を使用すれば好結果が出ると確信します。
【図面の簡単な説明】
【０００７】１  テンビン、
２  道糸、
３  サルカン、
４  テンビンループ重り止め、
５  ハリス、
６  考案部名前なしスライドリング、
７  重り
８  サルカン
【図１】
0003141246.tif 000005
【図２】
0003141246.tif 000006
【手続補正書】
【提出日】平成20年2月6日(2008.2.6)
【手続補正１】
【補正対象書類名】明細書
【補正対象項目名】全文
【補正方法】変更
【補正の内容】
【考案の詳細な説明】
【技術分野】
【０００１】本考案は釣具用テンビンの構造に関するものである。
【背景技術】
【０００２】從来のテンビンは重り負荷の抵抗と遠投の場合テンビンのスライド巾が小さい爲波の抵杭と魚信を間違えやすいのが難点
今１つの難点はハリスの長い仕掛の時又波の荒い時などに糸がらみが多発する難点。
【考案の開示】
【考案が解決しようとする課題】
【０００３】重りの負荷抵抗を少なくし又テンビンのスライド巾を大きくして波の抵抗と魚信の間違ひを最小限にする．
今１つハリスの糸がらみを最小限にくい止める爲にテンビンを可能な限り最大限まで長くした。
【課題を解決する爲の手段】
【０００４】前述したやうに從来のテンビンの難点を解決する爲図面１の６の内径を調節して１と６とをスライドさせた又スライド巾を無限に近くする爲にテンビン本体全部が６をスライドして抜け２の部分まで拔けて行くやうにしたそのため１００ｍの遠投位置でも強烈な魚信が来るやうにした。
【０００５】從来のテンビンで長めのハリスの時前述のやうに糸がらみになやまされるので本考案では図面１の３と４の間の長さを極端に長くして８０ｃｍとして糸がらみを最小限にしました又テンビン自体が１ｍにもなってしまったため自重を少なくする爲に直経０．６ｍｍのステンレス鋼を使って自重が重くならない様にして遠投に悪影響が出ない様にした。
【考案の効果】
【０００６】本考案は海釣特に渥美半島表浜のやうな大平洋の高波の向う側への遠投に有効なテンビン
又ハリスはテンビンと同じ長さのものが一番よろしい。
今１つ湾内デもテンビン・ハリス・重り等を同率に縮少した物を使用すれば好結果が出ると確信します。
【図面の簡単な説明】
【０００７】
【図１】平面上に置き眞上から見た形を示した平面図である
【図２】道糸部分を切断して切断面を視点として見た形を示した立面拡大図である．
【符号の説明】
【０００８】図１の１  テンビン本体−太さ０．６ｍｍのステンレス鋼線．
図１の２  道糸．
図１の３  道糸側サルカン−外經３．７ｍｍ以下のもの市販の１０号可．
図１の４  テンビン本体に作った１回転余のループ−外經７ｍｍ以上．
図１の５  ハリス
図１の６  重りに取付けたスライドリング−内經５．５ｍｍステンレスリング．
図１の７  重り．
図１の８  リングに重りを取付るフック．
図１の９  ハリス側サルカン−大きさ自由．
【０００９】図２の１から９迄図１の符号の説明番号と番号順に同じ．
【手続補正２】
【補正対象書類名】図面
【補正対象項目名】全図
【補正方法】変更
【補正の内容】
【図１】
0003141246.tif 000007
【図２】
0003141246.tif 000008
(57)【要約】   【課題】      住宅設備機器等の販売を目的とした展示会場において、システムキッチンの展示品の取付及び撤去工事を安全かつ容易にする。また、従来はシステムキッチン本体の販売が主体であり、一般家庭においての実状との差を無くし、全体のバランスのイメージアップを図ることを目的とした。  【解決手段】      引掛金具１２を使用し、容易に組立て可能な鉄骨ブース１を用い、より一般家庭での実状に近づけるため、横梁にＬ型アングルを取付け、キッチンパネル９、１０、１１の張り付け時において、正面９は上部からの差込式で側面１０、１１はレール状とした前部からのスライド式ではめ込み、装着・張付交換を簡単にした。前記鉄骨ブース及び前記キッチンパネルは工具材料不要で取付・取替が可能であり、多様のイメージを持つことができる。従来は鉄骨ブースは木製で、キッチンパネルはクロス張りがほとんどであった。クロスは破れやすいので毎回張り替える必要があった。  【選択図】図１
0003141268.tif 000002
【実用新案登録請求の範囲】
【請求項１】
住宅展示用のキッチンセットを収納する鉄骨ブース１に、キッチンパネル９、１０、１１を取り付けるため、前記鉄骨ブースの横梁にＬ型アングルをレール状に取付け、側面上段４、５または側面下段７、８にもそれぞれスライド式とし、正面には受アングル６を取付け上からの差込式とし、前記鉄骨ブース正面横梁に吊り戸棚類固定用引掛金具１２に吊り戸棚１７を別で取付け、一体化できるものとし、作業を容易に可能とすることを特徴とするシステムキッチン展示用組立式ブース。  
【考案の詳細な説明】
【技術分野】
【０００１】
本考案はシステムキッチンを展示するため、鉄骨ブース１を工具不要にて蝶ネジ２で簡易的に組立て、壁面にキッチンパネル９、１０、１１の取付を行い、吊り戸棚１７の設置の際、上下左右に調節可能な引掛金具１２を地上で取付け、吊り戸棚と引掛金具を一体とし、持ち上げ引掛けて安全かつ容易に行なうこと。
【背景技術】
【０００２】
従来は木製ブースが一般的であったが、数回の利用で消耗が激しく、同時にシステムキッチン製品の破損も激しく、微調整も大変で技術も必要であった。
【考案の開示】
【考案が解決しようとする課題】
【０００３】
吊り戸棚取付時、危険が伴う作業であった。システムキッチンの販売の目的を重点においていたため、全体のイメージがおろそかであった。
【課題を解決するための手段】
【０００４】
引掛金具１２に上下調整可能な蝶ネジ１３を取付け、はめ込みの形状１５、１６とし、吊り戸棚と引掛金具を一体とした。地上で吊り戸棚１７の背面に吊り戸棚類固定用蝶ネジ１４上下２本で固定する。工具無しで取付け持ち上げて、鉄骨ブースの横梁上部に引掛けはめ込む１５、１６ことにより、安全かつ容易にした。システムキッチンの吊り戸棚関係のフードその他の吊り戸棚（取り付け位置は種類別対応可能１８）も同工程で行なう。鉄骨ブース１にＬ型アングル４、５、６、７、８をレール状に付け、キッチンパネル９、１０、１１の取付時、接着材・接着テープ及びビス等を不要で取付交換を簡単にした。
【考案の効果】
【０００５】
鉄骨ブース、システムキッチン全体の組立てが専門技術不要となり、吊り戸棚類固定用引掛金具１２、１３、１４を考案したことで、正確に早く簡単・安全となり、１、２日の短い展示会であっても組立設置及び解体撤去が簡単にでき、専門的知識がなくても工事が可能となった。キッチンパネル９、１０、１１を張り付けることにより、展示品であっても家庭と同じ状況の展示をし、消費者側に参考の見本となるようにした。
【考案を実施するための最良の形態】
【０００６】
本考案は鉄骨ブース１を製作したことにより、吊り戸棚類及びフードを取付けるための吊り戸棚類固定用引掛金具１２を製作し、危険な作業を避けるため吊り戸棚１７と引掛金具１２とを地上で取り付け一体とし、持ち上げ引掛けて安全かつ容易に作業を行なうことができる。また、前記鉄骨ブースにＬ型アングルをビス止め１９で取付け、キッチンパネルの脱着がスムーズに行なえ、キッチンパネルの様々な色見本を同時に参考として選ぶことができる。ジョイントＨ型見切材２０を使用することで実状に近づけ、展示会であっても家庭での使用時と同じ状況にして消費者側に参考になるものとした。展示会場への搬出・搬入も簡易組立式であるため、速やかに行なうことが出来る。鉄骨ブース本体には亜鉛メッキを施し耐久性をよくし、繰り返し使用しても破損が少なくてすみ、システムキッチン本体の販売目的であっても、全体的なバランスのイメージアップを図ることができる。
【実施例】
【０００７】
吊り戸棚類固定用引掛金具１２を使用するため及びキッチンパネル９、１０、１１を設置するために、鉄骨ブース１を組立て、吊り戸棚一台に対して上下左右に調整可能な引掛金具を２本使用し吊り戸棚の背面に固定し持ち上げ引掛ける。キッチンパネルにおいて１０、１１は上下にＬ型アングルがあり、前部からスライド式で差込み、９は上部からの差込式で、キッチンパネル９上部側は引掛金具１２と吊り戸棚１７を設置した時、必然的に吊り戸棚背面下部で壁側に押し、前面キッチンパネル交換時、引掛金具と吊り戸棚を一体化したまま吊り戸棚を下ろし、キッチンパネル交換後元に戻す。
【図面の簡単な説明】
【０００８】
【図１】鉄骨ブース全体図
【図２】鉄骨ブース正面詳細図
【図３】鉄骨ブース側面詳細図
【図４】吊り戸棚類固定用引掛金具
【図５】吊り戸棚と引掛金具の取付図
【符号の説明】
【０００９】
１、鉄骨ブース
２、蝶ネジ（本体組立用）
３、転倒防止金具
４、Ｌ型アングル側面上段上レール
５、Ｌ型アングル側面上段下レール
６、正面受けレール
７、Ｌ型アングル側面下段上レール
８、Ｌ型アングル側面下段下レール      
９、正面キッチンパネル
１０、上段側面キッチンパネル
１１、下段側面キッチンパネル
１２、吊り戸棚類固定用引掛金具
１３、蝶ネジ（上下調整用）
１４、蝶ネジ（吊り戸棚類固定用）
１５、鉄骨ブース上部はめ込み位置
１６、鉄骨ブース下部はめ込み位置
１７、吊り戸棚
１８、吊り戸棚種類別対応穴
１９、Ｌ型アングル類止めビス
２０、ジョイントＨ型見切材
【図１】
0003141268.tif 000003
【図２】
0003141268.tif 000004
【図３】
0003141268.tif 000005
【図４】
0003141268.tif 000006
【図５】
0003141268.tif 000007
【手続補正書】
【提出日】平成20年2月15日(2008.2.15)
【手続補正１】
【補正対象書類名】実用新案登録請求の範囲
【補正対象項目名】請求項１
【補正方法】変更
【補正の内容】
【請求項１】
住宅展示用のキッチンセットを収納する鉄骨ブース１にキッチンパネル９、１０、１１を取付けるため、前記鉄骨ブースの横梁にＬ型アングル側面上段上レール４、Ｌ型アングル側面上段下レール５またはＬ型アングル側面下段上レール７、Ｌ型アングル側面下段下レール８を取付け、前記上段、下段それぞれキッチンパネルをスライド可能とし、正面には正面受レール６を取付け、上からの差し込み可能とし、前記鉄骨ブース正面横梁に吊り戸棚類固定用引掛金具１２に吊り戸棚１７を別で取付け、一体化できるものとし、作業を容易に可能とすることを特徴とするシステムキッチン展示用組立式ブース。